(57)【要約】      （修正有）【課題】ケーキサーバ等で容易に商品を取り分けることが可能なトレーを提供する。【解決手段】底部の周縁に立上り縁１３を形成させた商品陳列用のトレー１であって、商品を載置する載置面１２に溝状の凹部１４を複数形成している。凹部１４の幅は、商品取分け用の略二等辺三角形状のサーバーを溝方向に沿って挿入したときに、その先端部分が凹部１４内に挿入され得る幅であって、載置される商品が陥没しない幅である。また、凹部１４の縁部１５はテーパー状としている。【選択図】図１
0003142531.tif 000002
【実用新案登録請求の範囲】
【請求項１】
底部の周縁に立上り縁を形成させた商品陳列用のトレーであって、
商品を載置する載置面に溝状の凹部を複数形成したことを特徴とするトレー。
【請求項２】
請求項１に記載のトレーにおいて、
前記凹部の深さは、１ｍｍ乃至２ｍｍであるトレー。
【請求項３】
請求項１または請求項２に記載のトレーにおいて、
前記凹部の縁部をテーパー状にしたトレー。
【請求項４】
請求項１乃至請求項３のいずれかに記載のトレーにおいて、
前記凹部は、商品取分け用の略二等辺三角形状のサーバーを溝方向に沿って挿入したときに、その先端部分が前記凹部内に挿入され得る幅であって、載置される商品が陥没しない幅を有するトレー。
【請求項５】
請求項１乃至請求項４のいずれかに記載のトレーにおいて、
トレー本体の形状は矩形状であり、前記複数の凹部は、当該矩形の長尺方向と平行な方向に形成したトレー。
【考案の詳細な説明】
【技術分野】
【０００１】
この考案は、ケーキ等の商品陳列において使用されるトレーに関する。
【背景技術】
【０００２】
ケーキ等の軟らかい商品は、通常、同種の商品ごとに１つのトレーに載置され、そのトレーがショーケースに収納された状態で陳列販売されている。このような陳列販売で使用されているトレーは、特許文献１に記載されているような、商品の載置面が平坦な樹脂製のトレーである。
【特許文献１】特開２００１−１６３３３７号公報
【考案の開示】
【考案が解決しようとする課題】
【０００３】
しかしながら、特許文献１に記載されているような、載置面が平坦なトレーでは、ケーキ等の商品を載置したときに、トレーの載置面と商品との間に、ケーキ等を個別に取り分けるためのケーキサーバを挿入する隙間がなく取りにくいという問題があった。
【０００４】
そこで、本願考案は、上記課題を解決するためになされたものであり、ケーキサーバ等で容易に商品を取り分けることが可能なトレーを提供することを目的とする。
【課題を解決するための手段】
【０００５】
請求項１に記載の考案は、底部の周縁に立上り縁を形成させた商品陳列用のトレーであって、商品を載置する載置面に溝状の凹部を複数形成したことを特徴とする。
【０００６】
請求項２に記載の考案は、請求項１に記載の考案において、前記凹部の深さは、１ｍｍ乃至２ｍｍである。
【０００７】
請求項３に記載の考案は、請求項１または請求項２に記載の考案において、前記凹部の縁部をテーパー状にした。
【０００８】
請求項４に記載の考案は、請求項１乃至請求項３のいずれかに記載の考案において、前記凹部は、商品取分け用の略二等辺三角形状のサーバーを溝方向に沿って挿入したときに、その先端部分が前記凹部内に挿入され得る幅であって、載置される商品が陥没しない幅を有する。
【０００９】
請求項５に記載の考案は、請求項１乃至請求項４のいずれかに記載の考案において、トレー本体の形状は矩形状であり、前記複数の凹部は、当該矩形の長尺方向と平行な方向に形成した。
【考案の効果】
【００１０】
請求項１乃至請求項５に記載の考案によれば、サーバーを商品の底面に挿入することが容易となり、商品をスムーズに取り分けることが可能となる。
【００１１】
請求項２に記載の考案によれば、厚み１ｍｍ程度のサーバーもしくは、その先端部の厚みが１ｍｍ程度のサーバーを商品の底に容易に挿入することができる。
【００１２】
請求項３に記載の考案によれば、凹部の縁部をテーパー状にしたことにより、ケーキ等の柔らかい商品の底に溝の形状に沿った型がつき、商品の形が崩れることを防止することができる。
【００１３】
請求項４に記載の考案によれば、載置される商品が凹部に陥没することを防止することができる。
【００１４】
請求項５に記載の考案によれば、トレーの前後方向となる矩形の長尺方向と平行な方向に溝状の凹部を形成したことにより、使用者は、対面販売用の冷蔵ショーケースにトレーを設置した状態で、商品の取り分けをスムーズに行うことができる。
【考案を実施するための最良の形態】
【００１５】
以下、本願考案の実施例に係るトレー１を図面に基づいて説明する。図１は、本願考案の実施例に係るトレー１を示す斜視図である。図２は、本願考案の実施例に係るトレー１の部分断面図である。
【００１６】
図１に示すように、本願考案の実施例に係るトレー１は、底部１１の周縁に立上り縁１３を形成させた矩形状の形状を有し、その開口させた上面に、商品等の載置面１２を備える。
【００１７】
載置面１２には、トレー１の矩形における長尺方向と平行な方向に溝状の凹部１４が、複数形成される。
【００１８】
図２に示すように、凹部１４は一定の幅Ｗを保って一定間隔に形成され、凹部１４の縁部１５はテーパー状としている。また、凹部１４の深さｄは、１乃至２ｍｍ程度となるようにしている。ケーキ等の取り分けに使用される金属製のサーバーには、厚みが１ｍｍ程度のもの、あるいは先端部分の厚みが１ｍｍ程度で取っ手に近づくにつれて厚みが２ｍｍ程度となるもの等がある。このため、凹部１４の深さｄは、そのサーバーの厚みと同等もしくはやや深い１乃至２ｍｍ程度が好ましい。また、このように凹部１４の深さｄを１乃至２ｍｍ程度とし、縁部１５をテーパー状としたことにより、ケーキ等の柔らかい商品の底に溝の形状に沿った型がつき、商品の形が崩れることを防止することが可能となっている。
【００１９】
図３は、本願考案の実施例に係るトレー１の使用の状態を示す斜視図である。
【００２０】
図３に示すように、凹部１４が形成されたトレー１における載置面１２には、ケーキ５０が並べられる。使用者が商品取分け用の略二等辺三角形状のケーキサーバー４０を把持し、ケーキサーバー４０の先端を凹部１４の溝方向に沿わせて動かすと、容易にケーキ５０の下にケーキサーバー４０を挿入することが可能となる。
【００２１】
ここで、凹部１４の幅Ｗは、ケーキサーバー４０を溝方向に沿ってケーキ等の下に挿入したときに、その先端部分が前記凹部内に挿入され得る幅であって、載置される商品が陥没しない幅としている。すなわち、図３に示すケーキサーバー４０の先端部分の幅よりも広く、ケーキ５０よりも狭い幅としている。
【００２２】
また、凹部１４の幅Ｗは、ケーキサーバー４０の先端部分が前記凹部内に挿入され得る幅であって、ケーキサーバー４０の略二等辺三角形状のすべてが凹部１４に入り込む幅であってもいけない。すなわち、トレーの載置面とケーキサーバーが密着してケーキが取り出しにくくなる状況を防止するためである。
【図面の簡単な説明】
【００２３】
【図１】本願考案の実施例に係るトレー１を示す斜視図である。
【図２】本願考案の実施例に係るトレー１のＡ−Ａ断面図である。
【図３】本願考案の実施例に係るトレー１の使用の状態を示す斜視図である。
【符号の説明】
【００２４】
１      トレー
１１    底部
１２    載置面
１３    縁
１４    凹部
１５    縁部
４０    ケーキサーバー
５０    ケーキ
Ｗ      凹部の幅
ｄ      凹部の深さ
【図１】
0003142531.tif 000003
【図２】
0003142531.tif 000004
【図３】
0003142531.tif 000005
【手続補正書】
【提出日】平成20年4月9日(2008.4.9)
【手続補正１】
【補正対象書類名】実用新案登録請求の範囲
【補正対象項目名】全文
【補正方法】変更
【補正の内容】
【実用新案登録請求の範囲】
【請求項１】
底部の周縁に立上り縁を形成させた商品陳列用のトレーであって、
商品を載置する載置面に溝状の凹部を複数形成したことを特徴とするトレー。
【請求項２】
請求項１に記載のトレーにおいて、
前記凹部の深さは、１ｍｍ乃至２ｍｍであるトレー。
【請求項３】
請求項１または請求項２に記載のトレーにおいて、
前記凹部の縁部をテーパー状にしたトレー。
【請求項４】
請求項１乃至請求項３のいずれかに記載のトレーにおいて、
前記凹部は、商品取分け用の略二等辺三角形状のサーバーを溝方向に沿って挿入したときに、当該サーバーの先端部分の幅よりも広く、載置される商品よりも狭い幅を有するトレー。
【請求項５】
請求項１乃至請求項４のいずれかに記載のトレーにおいて、
トレー本体の形状は矩形状であり、前記複数の凹部は、当該矩形の長尺方向と平行な方向に形成したトレー。
【手続補正２】
【補正対象書類名】明細書
【補正対象項目名】０００８
【補正方法】変更
【補正の内容】
【０００８】
請求項４に記載の考案は、請求項１乃至請求項３のいずれかに記載の考案において、前記凹部は、商品取分け用の略二等辺三角形状のサーバーを溝方向に沿って挿入したときに、当該サーバーの先端部分の幅よりも広く、載置される商品よりも狭い幅を有する。